(57)【要約】【課題】操作パネルをコンパクトにして、システムキッチン全体との統一感を向上させることができる食器洗い機を提供する。【解決手段】前方に開口する前方開口部４ａを有すると共に箱状に形成された本体４と、上方に開口する上方開口部３ａを有すると共に、前方開口部３ａから本体４内に出し入れ自在の洗浄槽３と、洗浄槽３の前方に設けられた操作パネル５と、操作パネル５の下方に設けられ本体４の前方を覆う蓋体７と、蓋体７の洗浄槽３への固定部７ａを覆う前板６を設けたもので、蓋体７に化粧パネル（図示せず）を取り付ける場合、化粧パネルの上部端面を前板６で覆うことができるので、その分操作パネル５をコンパクトにすることができ、食器洗い機のシステムキッチン全体との統一感を向上させることができる。【選択図】図２
2008178446.tif 000002
【特許請求の範囲】
【請求項１】
前方に開口する前方開口部を有すると共に箱状に形成された本体と、上方に開口する上方開口部を有すると共に、前記前方開口部から前記本体内に出し入れ自在の洗浄槽と、前記洗浄槽の前方に設けられた操作パネルと、前記操作パネルの下方に設けられ前記本体の前方を覆う蓋体と、前記蓋体の前記洗浄槽への固定部を覆う前板を設けた食器洗い機。
【請求項２】
蓋体に、化粧パネルを取り付け可能とした請求項１に記載の食器洗い機。
【請求項３】
化粧パネルの絵柄を、システムキッチン構築物の表面材のそれと略同一にした請求項２に記載の食器洗い機。
【発明の詳細な説明】
【技術分野】
【０００１】
本発明は、システムキッチンを構成するキッチンカウンタ下などにビルトインされ、洗浄槽を前後に進退移動させて食器類を出し入れするプルオープン型の食器洗い機に関するものである。
【背景技術】
【０００２】
従来のこの種のビルトイン型の食器洗い機は、図６に示すように、多くはシステムキッチンを構成するキッチンカウンタＫの下にビルトインされる。キッチンカウンタＫの下には、引き出し式の収納部Ｌや開き戸式の収納部Ｍなどのシステムキッチン構築物が設けられ、オーブンレンジＮや食器洗い機Ａがビルトインされるのが一般的な設置形態である。このようなシステムキッチンでは、キッチンカウンタＫの下に構築される収納部Ｌ、Ｍなどシステムキッチン構築物の表面材は、その素材や色調、図柄が統一され、表面位置が同一平面上になるようにして美麗な外観に仕上られている。
【０００３】
これに合わせて食器洗い機ＡやオーブンレンジＮの表面も同一の色調、図柄に形成され、その表面がシステムキッチン構築物と同一位置になるようにして統一感が得られるようにしている。
【０００４】
従来のプルオープン型の食器洗い機Ａは、前方に引き出し自在で上方から食器類（図示せず）を出し入れする洗浄槽５１と、洗浄槽５１の前方に取り付けられ食器洗い機Ａの表面となる蓋体５０と、同じく洗浄槽５１の前方で、かつ蓋体５０の上部に配設された操作パネル５２とを備え、前記蓋体５０の内側には運転制御のための制御部や乾燥空気の循環路などが設けられている。蓋体５０の表面には化粧パネル（図示せず）が取り付け可能で、その化粧パネルの端面は、前記操作パネル５２にて保護されるようになっている（例えば、特許文献１参照）。
【特許文献１】特開２００５−２５３８２２号公報
【発明の開示】
【発明が解決しようとする課題】
【０００５】
しかしながら、上記従来の食器洗い機Ａでは、蓋体５０の裏面あるいは操作パネル５２の裏面に操作パネル５２と接続された制御回路などの電装品を配設された構成要素取付け部材（図示せず）を構成すると必要があるが、操作パネル５２の下部で、蓋体５０に取着された化粧パネルの上端を覆うようにしていたため、操作パネル５２全体が大きくなり周囲のシステムキッチン構築物と異なり、システムキッチン全体との統一感を損なうという課題があった。
【０００６】
本発明は、上記従来の課題を解決するもので、操作パネルをコンパクトにして、システムキッチン全体との統一感が向上した食器洗い機を提供することを目的としている。
【課題を解決するための手段】
【０００７】
上記従来の課題を解決するために、本発明の食器洗い機は、前方に開口する前方開口部を有すると共に箱状に形成された本体と、上方に開口する上方開口部を有すると共に、前記前方開口部から前記本体内に出し入れ自在の洗浄槽と、前記洗浄槽の前方に設けられた操作パネルと、前記操作パネルの下方に設けられ前記本体の前方を覆う蓋体と、前記蓋体の前記洗浄槽への固定部を覆う前板を設けたもので、蓋体に化粧パネルを取り付ける場合、化粧パネルの上部端面を前板で覆うことができるので、その分操作パネルをコンパクトにすることができ、食器洗い機のシステムキッチン全体との統一感を向上させることができる。
【発明の効果】
【０００８】
本発明の食器洗い機は、操作パネルをコンパクトにすることができるため、食器洗い機をシステムキッチンや流し台下などにビルトインした時、食器洗い機のシステムキッチン全体との統一感を向上させることができる。
【発明を実施するための最良の形態】
【０００９】
第１の発明は、前方に開口する前方開口部を有すると共に箱状に形成された本体と、上方に開口する上方開口部を有すると共に、前記前方開口部から前記本体内に出し入れ自在の洗浄槽と、前記洗浄槽の前方に設けられた操作パネルと、前記操作パネルの下方に設けられ前記本体の前方を覆う蓋体と、前記蓋体の前記洗浄槽への固定部を覆う前板を設けたもので、蓋体に化粧パネルを取り付ける場合、化粧パネルの上部端面を前板で覆うことができるので、その分操作パネルをコンパクトにすることができ、食器洗い機のシステムキッチン全体との統一感を向上させることができる。
【００１０】
第２の発明は、特に、第１の発明の蓋体に、化粧パネルを取り付け可能としたもので、樹脂色では表現できない様々な色の仕様を展開することが可能となりシステムキッチンのデザイン性を向上させることができる。
【００１１】
第３の発明は、特に、第２の発明の化粧パネルの絵柄を、システムキッチン構築物の表面材のそれと略同一にしたもので、食器洗い機をビルトインしてシステムキッチンを構成したときに周囲のシステムキッチン構築物との統一感が得られ、美麗な外観のシステムキッチンに構成することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における食器洗い機をキッチンカウンタの下にビルトインした状態を示す斜視図、図２は、同食器洗い機の断面図、図３（ａ）は、同食器洗い機の扉の構成を示す分解図、図３（ｂ）は、同扉の斜視図、図４は、同扉の蓋体、操作パネルの取り付け構成を示す要部拡大断面図である。
【００１４】
図１〜５において、本実施の形態における食器洗い機１は、図２に示すように、前方に開口する箱状に形成された本体４内に、上方に開口する洗浄槽３を本体４の前方開口部４ａから前後に進退移動させ、前方に引き出して、上方に開口する洗浄槽３から食器類１６を出し入れすることができるように構成されている。
【００１５】
本体４には、給水、排水の配管接続及び電源接続がなされ、前記洗浄槽３には、本体４から、給水弁１１、給水ポンプ１２、給水パイプ１３を通じて給水接続がなされ、洗浄槽３の底面に配設されて回転駆動される洗浄ノズル１４から洗剤を混入させた洗浄水又はすすぎ水を噴射させて食器カゴ１５に収容した食器類１６を洗浄する。
【００１６】
この洗浄槽３は、その外側面に取り付けられた第２のスライドレール１８を本体４の内側面に取り付けられた第１のスライドレール１７上でスライドさせることにより、本体４の前方開口部４ａから出し入れすることができる。洗浄槽３を、本体４内に押し入れたときには、洗浄槽３の上方開口部３ａは、内蓋１９によって密閉され、洗浄する水が外部に飛散しないようにしている。
【００１７】
食器洗い機１の扉２は、洗浄槽３の前方下部にネジ２１で固定されキッチンカウンタＫの下に配置されたシステムキッチン構築物の表面材と同じような色に合わせた樹脂色の蓋体７と、洗浄槽３の前方上部に固定された操作パネル５と、上端が操作パネル５の底面に接すると共に、蓋体７の洗浄槽３への固定部７ａを覆うように洗浄槽３に取着された前板６から構成されている。
【００１８】
操作パネル５には、特に図示しないが、食器乾燥時の乾燥空気の排気口、食器洗い機１の運転を操作する操作入力ボタン、引き出しの取っ手などが設けられている。この操作パネル５の下端には、蓋体７の固定部７ａを覆い上端が操作パネル５に接するようにして前板６が取り付けられている。
【００１９】
上記のように、前板６は、図３に示すように、洗浄槽３に蓋体７をネジ２１で取付けた箇所を覆うように配設している（このとき、操作パネル５を共締めしても構わない）。
【００２０】
扉２を構成する操作パネル５及び蓋体７は、図４に示すように、洗浄機本体４の前面を覆うことができる幅に形成されているので、ビルトインされた食器洗い機１の扉２を閉じる、即ち洗浄槽３を本体４に収納した状態において、図２に示すように、蓋体７は、本体４の前方開口部４ａ内に入り、扉２は、本体４の前方開口部４ａを閉じ、図１に示すように、周囲のシステムキッチン構築物との間に所定の間隙を隔ててシステムキッチンの構築物中に統一感のある状態に設置される。
【００２１】
蓋体７は、図４に示すように、洗浄槽３の前面上方から前方に延出形成された操作パネル取付部８と、洗浄槽３の前面下方から前方に延出形成された蓋体取付部９との間に、洗浄槽３の前面外壁との間に空間Ｓ１を形成して取り付けられる。
【００２２】
前記操作パネル取付部８には、表面から操作パネル５が取り付けられ、その内側に形成される空間Ｓ２にスイッチ類を収容した電装品収容部２０が取り付けられる。前記蓋体取付部９には、蓋体７が取り付けられ、洗浄槽３の前面外壁との間に形成される空間Ｓ１には、制御回路を構成した回路基板などを収容した制御回路収容部２６や洗浄槽３内に乾燥用空気を循環させるエアダクト（図示せず）などが配設される構成にすることにより、操作パネル５には、取っ手部５ａの形状を形成するのに必要な高さ（例えば、約３５ｍｍ）を確保するだけで良く、操作パネル５自体をコンパクトにすることができる。また、洗浄槽３との蓋体７および操作パネル５の固定部分を前板６で覆うことにより、操作パネル５の小さいシンプルな食器洗い機を実現することが可能となり、システムキッチン全体との統一感を向上させることができる。
【００２３】
（実施の形態２）
図５（ａ）は、本発明の第２の実施の形態における食器洗い機の扉の断面図、（ｂ）は、同扉の他の例を示す正面図、（ｃ）は、同扉の断面図である。なお、上記第１の実施の形態における食器洗い機と同一部分については、同一符号を付してその説明を省略する。
【００２４】
本実施の形態は、図５（ａ）に示すように、蓋体７に、化粧パネル２２が取り付けられるようにしたもので、化粧パネル２２の固定方法は、図５（ａ）に示すように、蓋体７に受け部２３を形成し取付けるか、或いは、図５（ｂ）、（ｃ）に示すように、別部品２４にて取付けるかは同等の効果が得られるため問わない。
【００２５】
前板６は、化粧パネル２２の上端を覆うように蓋体７に取付ける。これにより蓋体７の前面に化粧パネル２２を配設することが可能となり、樹脂色では表現できない様々な色の仕様を展開することができると共に、化粧パネル２２の端面を保護することができ、板のような材質を用いても端面に水がかかることがないため耐久性に優れ、システムキッチンのデザイン性を向上させることができる。
【００２６】
また、化粧パネル２２を、システムキッチン構築物の表面材と同一絵柄にすれば、食器洗い機１をビルトインしてシステムキッチンを構成したときに周囲のシステムキッチン構築物との統一感が得られ、美麗な外観のシステムキッチンに構成することができる。
【産業上の利用可能性】
【００２７】
以上のように、本発明にかかる食器洗い機は、操作パネルをコンパクトにすることができるため、システムキッチン全体との統一感を向上させることができる。また、蓋体の前面に化粧パネルを配設することにより樹脂色では表現できない様々な色の仕様を展開することが可能となりシステムキッチンのデザイン性を向上させることができるともに、システムキッチン構築物の表面材と同一絵柄とすることにより、食器洗い機をビルトインしてシステムキッチンを構成したときに周囲のシステムキッチン構築物との統一感が得られ、美麗な外観のシステムキッチンにできるため、家庭用、業務用の各種食器洗い機に適用することができる。
【図面の簡単な説明】
【００２８】
【図１】本発明の第１の実施の形態における食器洗い機をキッチンカウンタの下にビルトインした状態を示す斜視図
【図２】同食器洗い機の断面図
【図３】（ａ）同食器洗い機の扉の構成を示す分解図（ｂ）同扉の斜視図
【図４】同扉の蓋体、操作パネルの取り付け構成を示す要部拡大断面図
【図５】（ａ）本発明の第２の実施の形態における食器洗い機の扉の断面図（ｂ）同扉の他の例を示す正面図（ｃ）同扉の断面図
【図６】従来の食器洗い機をシステムキッチンにビルトインした状態を示す斜視図
【符号の説明】
【００２９】
１  食器洗い機
２  扉
３  洗浄槽
３ａ  上方開口部
４  本体
４ａ  前方開口部
５  操作パネル
６  前板
７  蓋体
７ａ  固定部
２１  ネジ
２２  化粧パネル
【図１】
2008178446.tif 000003
【図２】
2008178446.tif 000004
【図３】
2008178446.tif 000005
【図４】
2008178446.tif 000006
【図５】
2008178446.tif 000007
【図６】
2008178446.tif 000008